(57)【要約】      （修正有）【課題】光漏れを抑制することができる車両表示装置用指針を提供する。【解決手段】車両表示装置に適用される車両表示装置用指針１００は、光源からの光を導光する回転軸７２を介して導光された光が入射する軸部１２１、軸部１２１から延在して形成された指針発光体１２２、及び、指針幅方向Ｚ１の両側に開口１２４ｂを有する中空状に形成され軸部１２１に入射した光を指針発光体１２２に導光する導光中空部１２４を含んで構成される指針本体１２０と、軸部１２１及び導光中空部１２４を含む部分を覆い回転軸７２を介して導光された光を遮光する遮光部本体１３１、及び、遮光部本体１３１から指針幅方向Ｚ１に沿って突出し導光中空部１２４の各開口１２４ｂに嵌合する一対の第１突状部１３２を含んで構成される遮光体１３０とを備える。【選択図】図６
2018040627.tif 000002
【特許請求の範囲】
【請求項１】
回転駆動可能であり光源からの光を導光する回転軸に接続され当該回転軸を介して導光された光が入射する軸部、前記軸部の端部から当該軸部の指針軸方向と交差する指針延在方向に沿って延在して形成された指針発光体、及び、前記軸部と前記指針発光体との接続部分に前記指針軸方向及び前記指針延在方向と交差する指針幅方向の両側に開口を有する中空状に形成され前記軸部に入射した光を前記指針延在方向に反射し拡散させて前記指針発光体に導光する導光中空部を含んで構成され、前記軸部と前記指針発光体とが光透過性材料によって一体に形成された指針本体と、
前記軸部及び前記導光中空部を含む部分を前記指針幅方向から覆い前記回転軸を介して導光された光を遮光する遮光部本体、及び、前記遮光部本体から前記指針幅方向に沿って突出し前記導光中空部の各前記開口に嵌合する一対の第１突状部を含んで構成され、前記遮光部本体と前記第１突状部とが遮光性材料によって一体に形成された遮光体とを備えることを特徴とする、
車両表示装置用指針。
【請求項２】
前記指針本体は、前記導光中空部から前記指針延在方向に沿って延在して形成され前記指針幅方向に開口を有するスリットを含んで構成され、
前記遮光体は、前記遮光部本体から前記指針幅方向に沿って突出し前記スリットの前記開口に嵌合する第２突状部を含んで構成される、
請求項１に記載の車両表示装置用指針。
【請求項３】
前記指針発光体は、前記軸部側とは反対側の面が発光面を形成し、
前記一対の第１突状部は、前記指針軸方向に沿って前記発光面側に近づくにしたがって前記遮光部本体からの突出量が小さくなるような傾斜面を有する、
請求項１又は請求項２に記載の車両表示装置用指針。
【請求項４】
光を照射する光源と、
回転駆動可能であり前記光源からの光を導光する回転軸を有する駆動部と、
前記光源、及び、前記駆動部を収容する筐体と、
前記回転軸に接続され回転駆動される指針とを備え、
前記指針は、
前記回転軸に接続され当該回転軸を介して導光された光が入射する軸部、前記軸部の端部から当該軸部の指針軸方向と交差する指針延在方向に沿って延在して形成された指針発光体、及び、前記軸部と前記指針発光体との接続部分に前記指針軸方向及び前記指針延在方向と交差する指針幅方向の両側に開口を有する中空状に形成され前記軸部に入射した光を前記指針延在方向に反射し拡散させて前記指針発光体に導光する導光中空部を含んで構成され、前記軸部と前記指針発光体とが光透過性材料によって一体に形成された指針本体と、
前記軸部及び前記導光中空部を含む部分を前記指針幅方向から覆い前記回転軸を介して導光された光を遮光する遮光部本体、及び、前記遮光部本体から前記指針幅方向に沿って突出し前記導光中空部の各前記開口に嵌合する一対の第１突状部を含んで構成され、前記遮光部本体と前記第１突状部とが遮光性材料によって一体に形成された遮光体とを備えることを特徴とする、
車両表示装置。
【発明の詳細な説明】
【技術分野】
【０００１】
本発明は、車両表示装置用指針、及び、車両表示装置に関する。
【背景技術】
【０００２】
車両表示装置に適用される従来の車両表示装置用指針として、例えば、特許文献１には、光源からの光を受光する受光面が一端に設けられた柱状の軸部と、軸部の他端から当該軸部の軸方向と交差する指示方向及び指示方向と反対の後端方向のそれぞれに伸びて形成された指針部と、軸部からの光を指示方向に反射する指示方向反射面及び後端方向に反射する後端方向反射面を備えた反射部とを一体に有する透光性材料からなる指針部材が開示されている。
【先行技術文献】
【特許文献】
【０００３】
【特許文献１】特開２０１３−１８５９０９号公報
【発明の概要】
【発明が解決しようとする課題】
【０００４】
ところで、上述の特許文献１に記載の指針部材は、例えば、指針部材を覆う不透明な合成樹脂からなるカバー部材と当該指針部材との隙間を介した光漏れ抑制の点で更なる改善の余地がある。
【０００５】
本発明は、上記の事情に鑑みてなされたものであって、光漏れを抑制することができる車両表示装置用指針、及び、車両表示装置を提供することを目的とする。
【課題を解決するための手段】
【０００６】
上記目的を達成するために、本発明に係る車両表示装置用指針は、回転駆動可能であり光源からの光を導光する回転軸に接続され当該回転軸を介して導光された光が入射する軸部、前記軸部の端部から当該軸部の指針軸方向と交差する指針延在方向に沿って延在して形成された指針発光体、及び、前記軸部と前記指針発光体との接続部分に前記指針軸方向及び前記指針延在方向と交差する指針幅方向の両側に開口を有する中空状に形成され前記軸部に入射した光を前記指針延在方向に反射し拡散させて前記指針発光体に導光する導光中空部を含んで構成され、前記軸部と前記指針発光体とが光透過性材料によって一体に形成された指針本体と、前記軸部及び前記導光中空部を含む部分を前記指針幅方向から覆い前記回転軸を介して導光された光を遮光する遮光部本体、及び、前記遮光部本体から前記指針幅方向に沿って突出し前記導光中空部の各前記開口に嵌合する一対の第１突状部を含んで構成され、前記遮光部本体と前記第１突状部とが遮光性材料によって一体に形成された遮光体とを備えることを特徴とする。
【０００７】
また、上記車両表示装置用指針では、前記指針本体は、前記導光中空部から前記指針延在方向に沿って延在して形成され前記指針幅方向に開口を有するスリットを含んで構成され、前記遮光体は、前記遮光部本体から前記指針幅方向に沿って突出し前記スリットの前記開口に嵌合する第２突状部を含んで構成されるものとすることができる。
【０００８】
また、上記車両表示装置用指針では、前記指針発光体は、前記軸部側とは反対側の面が発光面を形成し、前記一対の第１突状部は、前記指針軸方向に沿って前記発光面側に近づくにしたがって前記遮光部本体からの突出量が小さくなるような傾斜面を有するものとすることができる。
【０００９】
上記目的を達成するために、本発明に係る車両表示装置は、光を照射する光源と、回転駆動可能であり前記光源からの光を導光する回転軸を有する駆動部と、前記光源、及び、前記駆動部を収容する筐体と、前記回転軸に接続され回転駆動される指針とを備え、前記指針は、前記回転軸に接続され当該回転軸を介して導光された光が入射する軸部、前記軸部の端部から当該軸部の指針軸方向と交差する指針延在方向に沿って延在して形成された指針発光体、及び、前記軸部と前記指針発光体との接続部分に前記指針軸方向及び前記指針延在方向と交差する指針幅方向の両側に開口を有する中空状に形成され前記軸部に入射した光を前記指針延在方向に反射し拡散させて前記指針発光体に導光する導光中空部を含んで構成され、前記軸部と前記指針発光体とが光透過性材料によって一体に形成された指針本体と、前記軸部及び前記導光中空部を含む部分を前記指針幅方向から覆い前記回転軸を介して導光された光を遮光する遮光部本体、及び、前記遮光部本体から前記指針幅方向に沿って突出し前記導光中空部の各前記開口に嵌合する一対の第１突状部を含んで構成され、前記遮光部本体と前記第１突状部とが遮光性材料によって一体に形成された遮光体とを備えることを特徴とする。
【発明の効果】
【００１０】
本発明に係る車両表示装置用指針、及び、車両表示装置は、指針本体において、光源から回転軸を介して導光され軸部に入射した光が導光中空部を形成する面で反射、拡散され指針発光体に導光されることで、当該指針発光体が発光する。そして、車両表示装置用指針、車両表示装置は、軸部及び導光中空部を指針幅方向から覆う遮光部本体によって当該指針幅方向において指針本体に導光された光を遮光すると共に、当該遮光部本体から突出して形成される一対の第１突状部が導光中空部の各開口に嵌合することで、導光中空部近傍から遮光部本体と指針本体との間を介して漏れる光を遮光することができる。この結果、車両表示装置用指針、車両表示装置は、光漏れを抑制することができる、という効果を奏する。
【図面の簡単な説明】
【００１１】
【図１】図１は、実施形態に係る車両表示装置の概略構成を示す分解斜視図である。
【図２】図２は、実施形態に係る車両表示装置の概略構成を示す部分断面図である。
【図３】図３は、実施形態に係る車両表示装置の指針の概略構成を示す斜視図である。
【図４】図４は、実施形態に係る車両表示装置の指針の概略構成を示す分解斜視図である。
【図５】図５は、実施形態に係る車両表示装置の指針の指針延在方向、及び、指針軸方向に沿った断面図である。
【図６】図６は、実施形態に係る車両表示装置の指針の指針軸方向、及び、指針幅方向に沿った断面図である。
【図７】図７は、実施形態に係る車両表示装置の指針の指針軸方向、及び、指針幅方向に沿った断面図である。
【図８】図８は、実施形態に係る車両表示装置の指針の指針キャップの断面斜視図である。
【図９】図９は、実施形態に係る車両表示装置の指針の指針延在方向、及び、指針幅方向に沿った断面図である。
【発明を実施するための形態】
【００１２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１３】
なお、以下で説明する図６は、指針の導光中空部を含む断面図であり、図７は、指針のスリットを含む断面図である。
【００１４】
［実施形態］
本実施形態に係る車両表示装置用指針としての指針１００は、図１、図２に示すように、車両に搭載される車両表示装置１に適用される。車両表示装置１は、いわゆる車載メータを構成するものであり、例えば、車両のダッシュボードに設けられたインストルメントパネルに搭載され、車両の運転に供される情報として当該車両に関する種々の情報を表示する。
【００１５】
なお、図１等に示す車両表示装置１の幅方向Ｘとは、典型的には、この車両表示装置１が適用される車両の車幅方向に相当する。以下の説明では、車両表示装置１の幅方向Ｘにおいて、当該車両表示装置１の前面に向かって左側（図１中左側）を幅方向Ｘ左側、向かって右側（図１中右側）を幅方向Ｘ右側という場合がある。また、車両表示装置１の奥行き方向Ｙとは、典型的には、この車両表示装置１が適用される車両の前後方向に相当する。また、車両表示装置１の前面側とは、奥行き方向Ｙにおいて車両の運転席と対面する側であり、典型的には、当該運転席に座った運転者によって視認される側である。一方、車両表示装置１の背面側とは、奥行き方向Ｙにおいて前面側とは反対側であり、典型的には、インストルメントパネルの内部に収容される側である。車両表示装置１の高さ方向Ｚとは、典型的には、この車両表示装置１が適用される車両の高さ方向に相当し、例えば、鉛直方向に沿った方向である。また、以下の説明で用いる各方向は、特に断りのない限り、車両表示装置１がインストルメントパネルに組み付けられた状態での方向を表す。
【００１６】
具体的には、車両表示装置１は、車両に関する種々の情報を表示する表示部２と、表示部２等を収容する筐体３とを備える。ここでは、表示部２は、一例として、車両に関する情報として、車速を表示する速度計２１、走行用動力源の出力回転数を表示する回転計２２（一部の文字情報の図示を省略）、燃料残量を表示する燃料計２３、冷却水の温度を表示する水温計２４、種々の情報を画像表示する液晶表示装置２５等を含んで構成される。速度計２１、回転計２２、燃料計２３、及び、水温計２４は、車両に関する計測値を表示する車両用アナログ式計器である。表示部２は、車両表示装置１の各部を収容する筐体３内に配置されると共に各種情報の表示面が奥行き方向Ｙ前面側に露出する。筐体３は、樹脂材料等によって構成される。筐体３は、例えば、奥行き方向Ｙ背面側に配置される背面カバー３１と、背面カバー３１の奥行き方向Ｙ前面側に配置されるケース本体３２と、ケース本体３２の奥行き方向Ｙ前面側に配置される見返し部材３３とを含んで構成され、これらによって区画される空間部内に表示部２が配置される。そして、筐体３は、見返し部材３３に形成される開口を介して各表示部２の表示面が奥行き方向Ｙ前面側に露出する。ここでは、表示部２は、筐体３内において、速度計２１が幅方向Ｘ左側に配置される一方、回転計２２が幅方向Ｘ右側に配置され、さらに燃料計２３、水温計２４、及び、液晶表示装置２５がこれらの間に配置される。また、車両表示装置１は、さらに、見返し部材３３の奥行き方向Ｙ前面側に配置され表示部２の奥行き方向Ｙ前面側を保護する透明カバー４、及び、見返し部材３３との間に透明カバー４を挟持して保持する押え部材５を備えている。
【００１７】
例えば、図２に示すように、速度計２１は、筐体３内に配置される配線板６に内機７が固定される。配線板６は、略矩形板状に形成され車両表示装置１における各種機能を実現するための種々の電子部品、配線が実装されるものであり、奥行き方向Ｙ前面側の実装面６１に内機７や上述した液晶表示装置２５等が実装される。内機７は、指針１００の駆動源であるモータ７１を含んで構成され、当該モータ７１から回転軸７２が突設される。指針１００は、回転軸７２に接続されモータ７１が駆動することで回転駆動され、車両に関する種々の計測値（速度計２１の場合には車速）に応じて、筐体３内に配置される文字板８に描かれた目盛用の指標部の所定の位置を指し示す。文字板８は、ケース本体３２と見返し部材３３との間に介在し挟持されて設けられ、指針１００によって指し示される目盛の装飾、当該目盛に対応して付された計測値に関する様々な図柄、記号、文字列等の装飾を含んで構成される。回転計２２、燃料計２３、水温計２４も速度計２１とほぼ同様の構成である。
【００１８】
以下、図２、図３、図４、図５、図６、図７、図８、図９を参照して上記のような車両表示装置１に適用される指針１００の各構成について詳細に説明する。なお、以下で説明する指針１００において、互いに交差する第１方向、第２方向、及び、第３方向のうち、第１方向を「指針延在方向Ｘ１」とし、第２方向を「指針軸方向Ｙ１」とし、第３方向を「指針幅方向Ｚ１」とする。ここでは、指針延在方向Ｘ１と指針軸方向Ｙ１と指針幅方向Ｚ１とは、相互に略直交する。指針１００が図１、図２に示す位置にある状態では、指針延在方向Ｘ１は、幅方向Ｘに沿った方向であり、指針軸方向Ｙ１は、奥行き方向Ｙに沿った方向であり、指針幅方向Ｚ１は、高さ方向Ｚに沿った方向である。以下の説明で用いる各方向は、特に断りのない限り、指針１００の各部が互いに組み付けられた状態での方向を表す。
【００１９】
まずここで、指針１００を回転駆動させる回転軸７２について説明する。回転軸７２は、図２に示すように、車両表示装置１が備える駆動部としての上記モータ７１のロータ軸を構成するものである。モータ７１は、上述したように指針１００の駆動源であり、回転駆動可能である回転軸７２を有する。また、車両表示装置１は、モータ７１と配線板６との間の実装面６１に実装される光源７３を備え、回転軸７２は、指針軸方向Ｙ１（奥行き方向Ｙ）に対して、当該光源７３と対向する位置に設けられる。モータ７１、光源７３は、配線板６の実装面６１に実装されて筐体３内に収容される。光源７３は、奥行き方向Ｙ（指針軸方向Ｙ１）前面側に向けて光を照射するものである。つまりここでは、光源７３による光の照射方向、言い換えれば、光源７３の光軸方向は、奥行き方向Ｙに沿った方向である。光源７３は、例えば、ＬＥＤ（Ｌｉｇｈｔ  Ｅｍｉｔｔｉｎｇ  Ｄｉｏｄｅ）素子等によって構成されるがこれに限らない。そして、回転軸７２は、光を透過する光透過性の樹脂材料によって形成され、奥行き方向Ｙ（指針軸方向Ｙ１）に対して光源７３と対向すると共にモータ７１から奥行き方向Ｙに沿って柱状に延在するようにして奥行き方向Ｙ前面側に突設される。回転軸７２は、ケース本体３２、文字板８に形成された開口を介して光源７３側とは反対側の端部、すなわち、奥行き方向Ｙ前面側の端部に指針１００が接続される。回転軸７２は、光源７３から照射された光を指針１００側に導く導光軸として機能する。回転軸７２は、光源７３から照射された光が当該光源７３側の端部に入射し、当該入射した光を奥行き方向Ｙ前面側の指針１００側に導光し出射する。
【００２０】
そして、指針１００は、図３、図４、図５、図６、図７、図８に示すように、接続基部としての指針ステム１１０と、指針本体１２０と、遮光体としての指針キャップ１３０とを備え、上記のように回転軸７２を介して導光された光によって指針本体１２０が発光する。指針１００は、文字板８の奥行き方向Ｙ前面側に位置し、回転軸７２に接続され回転駆動される。
【００２１】
具体的には、指針ステム１１０は、図３、図４、図５、図６に示すように、回転軸７２と指針本体１２０とを接続し、指針本体１２０を回転軸７２に一体回転可能に支持する接続支持部材である。指針ステム１１０は、基部１１１、円筒軸部１１２、及び、バランス重量部１１３を含んで構成され、基部１１１と円筒軸部１１２とバランス重量部１１３とが光を遮光する遮光性の樹脂材料によって一体に形成される。
【００２２】
基部１１１は、板状に形成され指針軸方向Ｙ１の一方側の面に指針本体１２０を支持する部分である。基部１１１は、指針キャップ１３０が組み付けられる組み付け孔部１１１ａが形成される（図４等参照）。ここでは、組み付け孔部１１１ａは、４つ設けられる。
【００２３】
円筒軸部１１２は、内部が中空の円筒状に形成され、基部１１１から指針軸方向Ｙ１に沿って突出して形成される。円筒軸部１１２は、基部１１１において指針本体１２０を支持する面とは反対側に突出して形成され、内部の中空状の部分が基部１１１を貫通し、指針軸方向Ｙ１の両側に開口している（図５、図６等参照）。円筒軸部１１２は、指針軸方向Ｙ１の一方の端部開口に回転軸７２が嵌合され、指針軸方向Ｙ１の他方の端部開口に後述する指針本体１２０の軸部１２１が嵌合されることで、回転軸７２と軸部１２１とを一体回転可能に接続する。
【００２４】
バランス重量部１１３は、指針ステム１１０に支持される指針本体１２０との重量バランスを調整する部分である。バランス重量部１１３は、基部１１１において指針本体１２０を支持する面の指針延在方向Ｘ１の一方の端部に設けられる。
【００２５】
指針本体１２０は、図３、図４、図５、図６、図７に示すように、回転軸７２を介して導光された光によって発光する発光部材である。指針本体１２０は、軸部１２１、指針発光体１２２、被支持部１２３、導光中空部１２４、及び、スリット１２５を含んで構成され、軸部１２１と指針発光体１２２と被支持部１２３とが光を透過する光透過性の樹脂材料によって一体に形成される。
【００２６】
軸部１２１は、指針軸方向Ｙ１に沿って柱状に形成される部分であり、上述したように、指針ステム１１０の円筒軸部１１２を介して回転軸７２と一体回転可能に接続される（図５、図６等参照）。軸部１２１は、当該回転軸７２を介して導光された光が入射する入射部として機能する。
【００２７】
指針発光体１２２は、軸部１２１の端部から当該軸部１２１の指針軸方向Ｙ１と交差する指針延在方向Ｘ１に沿って延在して形成される部分である。指針発光体１２２は、軸部１２１において回転軸７２と接続される側の端部と反対側の端部に設けられる。指針発光体１２２は、軸部１２１の端部から指針延在方向Ｘ１の両側に突出するように形成される。指針発光体１２２は、指針本体１２０が指針ステム１１０に組み付けられ支持された状態で、バランス重量部１１３とは反対側の突出量がバランス重量部１１３側の突出量より多くなるように、軸部１２１の端部からの突出量が設定されている（図４、図５等参照）。指針発光体１２２は、指針軸方向Ｙ１に対して軸部１２１側とは反対側の面が発光面１２２ａを構成し、当該発光面１２２ａが奥行き方向Ｙ前面側の意匠面として機能する。発光面１２２ａは、ホットスタンプ印刷、塗料の複数回の塗布、フィルム転写法等によって透光性着色層が施されており当該透光性着色層に着色された色によって指針本体１２０の表示色が設定される。
【００２８】
被支持部１２３は、指針ステム１１０の基部１１１上に支持される部分であり、指針発光体１２２から指針幅方向Ｚ１の両側に板状に突出して形成される（図４、図６、図７等参照）。各被支持部１２３は、指針発光体１２２において、指針軸方向Ｙ１に対して軸部１２１が設けられる側で、かつ、指針延在方向Ｘ１に対して指針発光体１２２の突出量が多い側に軸部１２１と隣接して設けられる。各被支持部１２３は、それぞれ指針キャップ１３０が組み付けられる組み付け孔部１２３ａが形成される（図４等参照）。ここでは、組み付け孔部１２３ａは、各被支持部１２３に１つずつ、合計２つ設けられる。
【００２９】
導光中空部１２４は、軸部１２１と指針発光体１２２との接続部分、ここでは、当該接続部分の指針発光体１２２側に中空状に形成される部分である（図４、図５、図６等参照）。導光中空部１２４は、指針幅方向Ｚ１の両側に開口１２４ｂ（図６参照）を有する中空状に形成される。導光中空部１２４は、指針延在方向Ｘ１、及び、指針軸方向Ｙ１に沿った断面視（図５参照）にて（言い換えれば、指針幅方向Ｚ１に視て）、略四分円形状、あるいは、略扇形状に形成される。さらに言えば、導光中空部１２４は、当該断面視にて、指針軸方向Ｙ１の軸部１２１側が先細りの形状であり、指針軸方向Ｙ１に沿って軸部１２１から離間するにしたがって指針延在方向Ｘ１に沿った幅が徐々に広くなるような形状に形成される。導光中空部１２４は、当該導光中空部１２４の中空状の部分を形成する面１２４ａが軸部１２１に入射した光を指針延在方向Ｘ１に反射し拡散させて指針発光体１２２に導光する反射導光面として機能する。
【００３０】
スリット１２５は、導光中空部１２４から指針延在方向Ｘ１に沿って延在して形成され部分である（図４、図５、図７等参照）。スリット１２５は、指針発光体１２２の指針幅方向Ｚ１の両側面に１つずつ、合計２つ設けられる。各スリット１２５は、指針発光体１２２の指針幅方向Ｚ１の側面に指針延在方向Ｘ１に沿って延在して直線状に形成される。各スリット１２５は、底面を有する凹部状に形成され、それぞれ指針幅方向Ｚ１に開口１２５ａ（図７参照）を有して形成される。各スリット１２５は、指針延在方向Ｘ１に対して導光中空部１２４の両側に延在して形成され、当該導光中空部１２４と連通される。
【００３１】
指針キャップ１３０は、図３、図４、図５、図６、図７、図８、図９に示すように、指針本体１２０に装着され一部の光を遮光する遮光部材である。指針キャップ１３０は、遮光部本体１３１、一対の第１突状部１３２、一対の第２突状部１３３を含んで構成され、遮光部本体１３１と一対の第１突状部１３２と一対の第２突状部１３３とが光を遮光する遮光性の樹脂材料によって一体に形成される。
【００３２】
遮光部本体１３１は、カバー本体部１３１ａと、スリット部１３１ｂと、スリット壁面部１３１ｃとを含んで構成され、これらによって指針本体１２０の軸部１２１及び導光中空部１２４を指針幅方向Ｚ１から覆い回転軸７２を介して導光された光を遮光する。カバー本体部１３１ａは、ドーム状に形成され、指針本体１２０の発光面１２２ａ側から装着され、ここでは当該指針本体１２０の軸部１２１、被支持部１２３、導光中空部１２４、スリット１２５を含む部分を覆う。また、カバー本体部１３１ａは、ドーム状の内部に柱状の装着軸部１３１ｄが形成される（図６、図７、図９参照）。ここでは、装着軸部１３１ｄは、４つ設けられる。スリット部１３１ｂは、カバー本体部１３１ａに形成される。スリット部１３１ｂは、カバー本体部１３１ａに対して指針延在方向Ｘ１に沿った切り欠き状に形成される。スリット部１３１ｂは、カバー本体部１３１ａが指針本体１２０に装着された状態で、カバー本体部１３１ａによって覆われた指針本体１２０における指針発光体１２２の発光面１２２ａを露出させる部分である。スリット壁面部１３１ｃは、カバー本体部１３１ａに形成されたスリット部１３１ｂを区画する壁体である（図４、図６、図７参照）。ここでは、スリット壁面部１３１ｃは、指針軸方向Ｙ１に沿って立設される壁体である。スリット壁面部１３１ｃは、スリット部１３１ｂを囲うように略Ｕ字型に形成される。スリット壁面部１３１ｃは、カバー本体部１３１ａが指針本体１２０に装着された状態で、指針発光体１２２の指針幅方向Ｚ１の側面における導光中空部１２４、スリット１２５が形成された部分を指針幅方向Ｚ１の両側から挟み込んで覆い、回転軸７２を介して導光された光のうちの漏れ光を遮光する。スリット壁面部１３１ｃは、カバー本体部１３１ａが指針本体１２０に装着された状態で、指針発光体１２２において軸部１２１からの突出量が少ない側の端部を囲うように覆う。
【００３３】
一対の第１突状部１３２は、遮光部本体１３１から指針幅方向Ｚ１に沿って突出し指針本体１２０の導光中空部１２４の各開口１２４ｂに嵌合する部分である（図６、図８、図９等参照）。ここでは、一対の第１突状部１３２は、スリット壁面部１３１ｃに形成される。一対の第１突状部１３２は、スリット壁面部１３１ｃにおいて指針軸方向Ｙ１に対向する２つの壁面、すなわち、指針発光体１２２の指針幅方向Ｚ１の側面を指針幅方向Ｚ１の両側から挟み込んで覆う２つの壁面からそれぞれ指針軸方向Ｙ１に沿って突出して形成される。各第１突状部１３２は、導光中空部１２４の開口１２４ｂと嵌合し当該開口１２４ｂの大部分を閉塞するように、当該導光中空部１２４の開口１２４ｂと同形状でかつ当該導光中空部１２４の開口１２４ｂよりもやや小さい形状に形成される。すなわち、各第１突状部１３２は、指針延在方向Ｘ１、及び、指針軸方向Ｙ１に沿った断面視（図５参照）にて（言い換えれば、指針幅方向Ｚ１に視て）、略四分円形状、あるいは、略扇形状に形成される。さらに言えば、各第１突状部１３２は、当該断面視にて、指針軸方向Ｙ１の一方側が先細りの形状であり、指針軸方向Ｙ１に沿って他方側に向かうにしたがって指針延在方向Ｘ１に沿った幅が徐々に広くなるような形状に形成される。
【００３４】
一対の第２突状部１３３は、遮光部本体１３１から指針幅方向Ｚ１に沿って突出し指針本体１２０のスリット１２５の各開口１２５ａ（図７参照）に嵌合する部分である（図７、図８、図９等参照）。一対の第２突状部１３３は、一対の第１突状部１３２と同様に、スリット壁面部１３１ｃに形成される。一対の第２突状部１３３は、スリット壁面部１３１ｃにおいて指針軸方向Ｙ１に対向する２つの壁面、すなわち、上記の第１突状部１３２が形成された２つの壁面からそれぞれ指針軸方向Ｙ１に沿って突出して形成される。各第２突状部１３３は、スリット１２５の開口１２５ａと嵌合し当該開口１２５ａの大部分を閉塞するように、当該スリット１２５の開口１２５ａと同形状でかつ当該スリット１２５の開口１２５ａよりもやや小さい形状に形成される。すなわち、各第２突状部１３３は、指針延在方向Ｘ１に対して各第１突状部１３２の両側に指針延在方向Ｘ１に沿って延在して直線状に形成される。
【００３５】
上記のように構成される指針１００は、図４、図５、図６、図７等に示すように、カバー本体部１３１ａの装着軸部１３１ｄのうちの２つが被支持部１２３の組み付け孔部１２３ａを指針発光体１２２側から貫通すると共に当該指針発光体１２２がスリット壁面部１３１ｃの間に嵌り発光面１２２ａがスリット部１３１ｂから露出するような位置関係で、指針キャップ１３０が指針本体１２０に装着される。指針１００は、指針キャップ１３０が指針本体１２０に装着された状態で、指針発光体１２２において軸部１２１からの突出量が多い側の端部がスリット部１３１ｂ、スリット壁面部１３１ｃから指針延在方向Ｘ１に沿って突出している。そして、指針１００は、指針キャップ１３０が指針本体１２０に装着された状態で、カバー本体部１３１ａの装着軸部１３１ｄが指針ステム１１０の基部１１１の組み付け孔部１１１ａに組み付けられることで、指針ステム１１０と指針本体１２０と指針キャップ１３０とが一体化される。指針１００は、指針ステム１１０と指針本体１２０と指針キャップ１３０とが一体化された状態で、指針発光体１２２において軸部１２１からの突出量が少ない側の端部がバランス重量部１１３側に位置して被支持部１２３が指針ステム１１０の基部１１１上に支持され（図５等参照）、指針本体１２０の軸部１２１が指針ステム１１０の円筒軸部１１２に嵌合し回転軸７２と一体回転可能に接続される（図６等参照）。
【００３６】
指針１００は、指針ステム１１０と指針本体１２０と指針キャップ１３０とが一体化された状態で、指針キャップ１３０の遮光部本体１３１が指針ステム１１０の基部１１１との間に指針本体１２０の被支持部１２３を挟み込むようにして覆い（図５、図６等参照）、回転軸７２を介して導光された光のうちの漏れ光を遮光する。例えば、指針１００は、遮光部本体１３１のスリット壁面部１３１ｃが指針本体１２０の指針発光体１２２の指針幅方向Ｚ１の側面における導光中空部１２４、スリット１２５が形成された部分を指針幅方向Ｚ１の両側から挟み込んで覆い、回転軸７２を介して導光された光のうちの漏れ光を遮光する。そして、指針１００は、一対の第１突状部１３２が導光中空部１２４の各開口１２４ｂに嵌合し当該開口１２４ｂの大部分を閉塞させる（図６、図９等参照）。同様に、指針１００は、一対の第２突状部１３３がスリット１２５の各開口１２５ａと嵌合し当該開口１２５ａの大部分を閉塞させる（図７、図９等参照）。
【００３７】
以上で説明した指針１００によれば、回転駆動可能であり光源７３からの光を導光する回転軸７２に接続され当該回転軸７２を介して導光された光が入射する軸部１２１、軸部１２１の端部から当該軸部１２１の指針軸方向Ｙ１と交差する指針延在方向Ｘ１に沿って延在して形成された指針発光体１２２、及び、軸部１２１と指針発光体１２２との接続部分に指針軸方向Ｙ１及び指針延在方向Ｘ１と交差する指針幅方向Ｚ１の両側に開口１２４ｂを有する中空状に形成され軸部１２１に入射した光を指針延在方向Ｘ１に反射し拡散させて指針発光体１２２に導光する導光中空部１２４を含んで構成され、軸部１２１と指針発光体１２２とが光透過性材料によって一体に形成された指針本体１２０と、軸部１２１及び導光中空部１２４を含む部分を指針幅方向Ｚ１から覆い回転軸７２を介して導光された光を遮光する遮光部本体１３１、及び、遮光部本体１３１から指針幅方向Ｚ１に沿って突出し導光中空部１２４の各開口１２４ｂに嵌合する一対の第１突状部１３２を含んで構成され、遮光部本体１３１と第１突状部１３２とが遮光性材料によって一体に形成された指針キャップ１３０とを備える。以上で説明した車両表示装置１によれば、光を照射する光源７３と、回転駆動可能であり光源７３からの光を導光する回転軸７２を有するモータ７１と、光源７３、及び、モータ７１を収容する筐体３と、回転軸７２に接続され回転駆動される指針１００とを備える。
【００３８】
したがって、指針１００、車両表示装置１は、指針本体１２０において、光源７３から回転軸７２を介して導光され軸部１２１に入射した光が導光中空部１２４を形成する面１２４ａで反射、拡散され指針発光体１２２に導光されることで、当該指針発光体１２２の全体が発光する。そして、指針１００、車両表示装置１は、指針本体１２０の軸部１２１及び導光中空部１２４を含む部分を指針幅方向Ｚ１から覆う遮光部本体１３１によって当該指針幅方向Ｚ１において指針本体１２０に導光された光のうちの指針幅方向Ｚ１への漏れ光を遮光すると共に、当該遮光部本体１３１から突出して形成される一対の第１突状部１３２が導光中空部１２４の各開口１２４ｂに嵌合する。これにより、指針１００、車両表示装置１は、導光中空部１２４に嵌合することで導光中空部１２４とラップさせて設けられる各第１突状部１３２によって、指針本体１２０に導光された光のうち、導光中空部１２４近傍から遮光部本体１３１と指針本体１２０との間を介して漏れる光を遮光することができる。この結果、車両表示装置用指針、車両表示装置は、光漏れを抑制することができる。
【００３９】
なおここでは、指針発光体１２２は、軸部１２１側とは反対側の面が発光面１２２ａを形成し、一対の第１突状部１３２は、図６に示すように、指針軸方向Ｙ１に沿って発光面１２２ａ側に近づくにしたがって遮光部本体１３１からの突出量が小さくなるような傾斜面１３２ａを有する。したがって、指針１００、車両表示装置１は、一対の第１突状部１３２の指針幅方向Ｚ１の間隔が発光面１２２ａ側に接近するにしたがって徐々に末広がりとなる形状になることから、軸部１２１に入射し導光中空部１２４を介して指針発光体１２２に導光された光を、当該発光面１２２ａに向けて効率的に導光できる構成とすることができるので、発光面１２２ａの光量を相対的に増やしより均一に発光させることができる。
【００４０】
さらに、以上で説明した指針１００、車両表示装置１によれば、指針本体１２０は、導光中空部１２４から指針延在方向Ｘ１に沿って延在して形成され指針幅方向Ｚ１に開口１２５ａを有するスリット１２５を含んで構成され、指針キャップ１３０は、遮光部本体１３１から指針幅方向Ｚ１に沿って突出しスリット１２５の開口１２５ａに嵌合する第２突状部１３３を含んで構成される。したがって、指針１００、車両表示装置１は、遮光部本体１３１から突出して形成される一対の第２突状部１３３が導光中空部１２４から延在するスリット１２５の各開口１２５ａに嵌合することから、スリット１２５に嵌合することでスリット１２５とラップさせて設けられる各第２突状部１３３によって、導光中空部１２４近傍において遮光部本体１３１と指針本体１２０との間を介して漏れる光を遮光することができる領域を相対的に広く確保することができる。この結果、指針１００、車両表示装置１は、より確実に光漏れを抑制することができる。
【００４１】
なお、上述した本発明の実施形態に係る車両表示装置用指針、及び、車両表示装置は、上述した実施形態に限定されず、特許請求の範囲に記載された範囲で種々の変更が可能である。
【００４２】
以上の説明では、指針１００は、指針ステム１１０を備えず、指針本体１２０の軸部１２１が直接的に回転軸７２と接続されていてもよい。
【００４３】
以上の説明では、指針本体１２０は、スリット１２５を含んで構成させるものとして説明したが、必ずしもスリット１２５を備えていなくてもよく、指針キャップ１３０は、必ずしも一対の第２突状部１３３を備えていなくてもよい。
【符号の説明】
【００４４】
１    車両表示装置
７１    モータ（駆動部）
７２    回転軸
７３    光源
１００    指針（車両表示装置用指針）
１２０    指針本体
１２１    軸部
１２２    指針発光体
１２２ａ    発光面
１２４    導光中空部
１２４ｂ    開口
１２５    スリット
１２５ａ    開口
１３０    指針キャップ（遮光体）
１３１    遮光部本体
１３２    第１突状部
１３２ａ    傾斜面
１３３    第２突状部
Ｘ１    指針延在方向
Ｙ１    指針軸方向
Ｚ１    指針幅方向
【図１】
2018040627.tif 000003
【図２】
2018040627.tif 000004
【図３】
2018040627.tif 000005
【図４】
2018040627.tif 000006
【図５】
2018040627.tif 000007
【図６】
2018040627.tif 000008
【図７】
2018040627.tif 000009
【図８】
2018040627.tif 000010
【図９】
2018040627.tif 000011